(57)【要約】      （修正有）【課題】ユーザごとにベルト未装着である旨の警告態様を設定することができ、車両全体のベルト装着率を向上させ得る車載器、警告方法、及びプログラムを提供する。【解決手段】シートベルトの未装着を検出するシートベルト装着検出部１２と、静止画又は動画を表示する表示部１８、１９と、シートベルトの未装着が検出された場合、かつ、表示部１８、１９により静止画又は動画が表示されている場合、当該表示されている静止画又は動画の視認を妨げるように、当該静止画又は動画に重畳してベルト未装着である旨の警告を表示する制御部１１と、を備えた車載器１０とする。【選択図】図２
2011126471.tif 000002
【特許請求の範囲】
【請求項１】
シートベルトの未装着を検出するシートベルト装着検出部と、
静止画又は動画を表示する表示部と、
前記シートベルト装着検出部によりシートベルトの未装着が検出された場合、かつ、前記表示部により静止画又は動画が表示されている場合、当該表示されている静止画又は動画の視認を妨げるように、当該静止画又は動画に重畳してベルト未装着である旨の警告を表示する制御部と、
を備えた車載器。
【請求項２】
前記シートベルト装着検出部は、シートごとに、シートベルトの未装着を検出し、
前記制御部は、前記シートベルト装着検出部によりシートベルトの未装着が検出された場合、検出されたベルト未装着のシートを対象にして表示されている静止画又は動画の視認を妨げるように、当該静止画又は動画に重畳してベルト未装着である旨の警告を表示する請求項１に記載の車載器。
【請求項３】
前記表示部は、車内前方に設置され、ナビゲーション機能による経路案内の静止画又は動画を表示し、
前記制御部は、前記経路案内の静止画又は動画の視認を妨げるように、当該静止画又は動画に重畳してベルト未装着である旨の警告を表示する請求項１又は２に記載の車載器。
【請求項４】
前記表示部は、車内後方に設置され、車内後方のシートを対象にした静止画又は動画を表示し、
前記制御部は、前記車内後方のシートを対象にした静止画又は動画の視認を妨げるように、当該静止画又は動画に重畳して前記ベルト未装着である旨の警告を表示する請求項１又は２に記載の車載器。
【請求項５】
前記制御部は、前記表示部により表示されている静止画又は動画に対して半透明のマスクをかけ、当該マスクがかけられた静止画又は動画に重畳してベルト未装着である旨の警告を表示することで、前記表示部により表示されている静止画又は動画の視認を妨げる請求項１〜４の何れか一項に記載の車載器。
【請求項６】
シートベルト装着検出部により、シートベルトの未装着を検出する工程と、
表示部により、静止画又は動画を表示する工程と、
制御部により、シートベルト装着検出部によりシートベルトの未装着が検出された場合、かつ、前記表示部により静止画又は動画が表示されている場合、当該表示されている静止画又は動画の視認を妨げるように、当該静止画又は動画に重畳してベルト未装着である旨の警告を表示する工程と、
を含む警告方法。
【請求項７】
コンピュータに、
シートベルト装着検出部により、シートベルトの未装着を検出する機能と、
表示部により、静止画又は動画を表示する機能と、
制御部により、シートベルト装着検出部によりシートベルトの未装着が検出された場合、かつ、前記表示部により静止画又は動画が表示されている場合、当該表示されている静止画又は動画の視認を妨げるように、当該静止画又は動画に重畳してベルト未装着である旨の警告を表示する機能と、
を実現させるためのプログラム。
【発明の詳細な説明】
【技術分野】
【０００１】
本発明は、車載器、警告方法及びプログラムに関する。
【背景技術】
【０００２】
従来、車両のシートベルト装着を促す手法として、例えばシートベルト未装着の場合にはインパネ（instrument panel）に配置されたランプを点滅又は点灯させる方法や、ブザーにより警告音を発する方法等がある。
【０００３】
図６に、シートベルト装着を促す従来の警告システム１０１の概略構成を示す。
警告システム１０１は、センサ１０２、スイッチ１０３、検出部１０４、警告部１０５等を備えて構成される。
【０００４】
センサ１０２は、車両の各シート下に配置された重量センサである。センサ１０２は、シート上に人が着座するとその荷重を検出し、検出信号を検出部１０４に出力する。
【０００５】
スイッチ１０３は、運転席及び助手席のシートベルトのバックルに配置されたスイッチである。スイッチ１０３は、シートベルトがバックルに挿入された場合にスイッチをＯＮする。
【０００６】
検出部１０４は、センサ１０２により検出された検出信号を入力し、かつ、スイッチ１０３のスイッチがＯＦＦの場合、ベルト未装着である旨の検出信号を生成し、これを警告部１０５に出力する。なお、検出部１０４は、シートごとに、ベルト未装着である旨の検出信号を生成するとしてもよい。
【０００７】
警告部１０５は、インパネに配置されたランプ又はブザーである。警告部１０５は、検出部１０４により出力されたベルト未装着の検出信号を入力した場合、ランプを点滅／点灯し、又は警告音を発する。
【０００８】
警告システム１０１は、「車両」によりシートベルト装着を促すシステムであるが、他には、「車載器」によりシートベルト装着を促す技術がある。
【０００９】
特許文献１によれば、シートベルトの装着状態を示すシートベルト検出信号が不存在の場合、車載器のディスプレイやスピーカにより、ベルト未装着の旨を告知し、又は車載器に対するユーザ操作の一部又は全部を制限する技術が開示されている。
【先行技術文献】
【特許文献】
【００１０】
【特許文献１】特開平７−２７０１７３号公報
【発明の概要】
【発明が解決しようとする課題】
【００１１】
しかし、特許文献１の技術では、スピーカによりベルト未装着の旨を警告した場合でも、ユーザによっては装着の「うっかり忘れ」を気付かせる程度の効果でしかなく、装着の厳格化を図ることはできない。
【００１２】
また、ベルト未装着であって、車載器に対するユーザ操作の一部又は全部が制限された場合でも、全てのユーザがシートベルトを装着しようとするとは限らない。例えば、ベルト未装着のために車載器のナビゲーションの利用が制限されても、ユーザによってはナビゲーションの利用をあきらめてシートベルトを装着しないままの場合がある。こうしたユーザの場合、単に車載器の操作が制限されるだけであって、シートベルトの装着を促進することはできない。
【００１３】
また、運転席及び助手席に乗るユーザに対してシートベルトの装着を図ることができた場合でも、リアシートに乗る人のシートベルト装着を促進することはできない。例えば、ファミリーカーでは子供がリアシートに乗る場合が多い。子供にシートベルト装着の必要性を言い聞かせることは困難であり、結局、ベルト未装着で車両の走行を行うことになる場合がある。よって、車両全体のベルト装着率を向上させることはできない。
【００１４】
本発明の課題は、ユーザごとにベルト未装着である旨の警告態様を設定することができ、車両全体のベルト装着率を向上させ得る車載器、警告方法、及びプログラムを提供することである。
【課題を解決するための手段】
【００１５】
本発明によれば、シートベルトの未装着を検出するシートベルト装着検出部と、
静止画又は動画を表示する表示部と、
前記シートベルト装着検出部によりシートベルトの未装着が検出された場合、かつ、前記表示部により静止画又は動画が表示されている場合、当該表示されている静止画又は動画の視認を妨げるように、当該静止画又は動画に重畳してベルト未装着である旨の警告を表示する制御部と、
を備えた車載器が提供される。
【００１６】
また、本発明によれば、シートベルト装着検出部により、シートベルトの未装着を検出する工程と、
表示部により、静止画又は動画を表示する工程と、
制御部により、前記シートベルト装着検出部によりシートベルトの未装着が検出された場合、かつ、前記表示部により静止画又は動画が表示されている場合、当該表示されている静止画又は動画の視認を妨げるように、当該静止画又は動画に重畳してベルト未装着である旨の警告を表示する工程と、
を含む警告方法が提供される。
【００１７】
また、本発明によれば、コンピュータに、シートベルト装着検出部により、シートベルトの未装着を検出する機能と、
表示部により、静止画又は動画を表示する機能と、
制御部により、前記シートベルト装着検出部によりシートベルトの未装着が検出された場合、かつ、前記表示部により静止画又は動画が表示されている場合、当該表示されている静止画又は動画の視認を妨げるように、当該静止画又は動画に重畳してベルト未装着である旨の警告を表示する機能と、
を実現させるためのプログラムが提供される。
【発明の効果】
【００１８】
本発明により、ユーザごとにベルト未装着である旨の警告態様を設定することができる。例えば、シートベルト未装着であることを「うっかり忘れ」程度に感じるユーザや、車載器に対する操作の一部又は全部が制限された場合でもシートベルトを装着しないユーザに対してはシートベルト装着の厳格化を図るように警告態様を設定することができる。また、リアシートに座るユーザ、特に、小さな子供に対しては子供でも理解できる専用の警告内容を設定することができる。このように、ユーザごとに警告態様を設定することができるため、車両全体のベルト装着率を向上させることができる。また、車載器のない車両に対しては車載器を後付けすることにより、上記の効果を得ることができる。
【図面の簡単な説明】
【００１９】
【図１】警告システムの概略構成である。
【図２】車載器の機能ブロック図である。
【図３】ベルト装着勧告処理を示すフロー図である。
【図４】画面例である。
【図５】画面例である。
【図６】従来の警告システムの概略構成である。
【発明を実施するための形態】
【００２０】
本実施形態における車載器の構成及び動作について、図面を用いて詳細に説明する。なお、本発明は、本実施形態に限定されるものではない。
【００２１】
図１に、警告システム１００の概略構成を示す。
警告システム１００は、警告システム１０１及び車載器１０を備えて構成される。また、警告システム１０１と車載器１０とは、通信可能に接続される。
【００２２】
警告システム１０１は、車両により、ベルト未装着である旨を警告するシステムである。警告システム１０１については、従来の構成であり既に述べた通りであるため、ここでの説明は省略する（図６参照）。
【００２３】
車載器１０は、一般的な車載器としての機能（ナビゲーション機能、静止画又は動画再生機能、音声出力機能等）を備えて構成される。なお、車載器１０は、車両に後付け可能な車載器である。
また、車載器１０は、検出部１０４により生成されたベルト未装着の検出信号を入力し、ベルト未装着である旨の警告処理を行う機能を備える。
【００２４】
図２に、車載器１０の機能ブロック図を示す。
車載器１０は、制御部１１、シートベルト装着検出部１２、車両状況検出部１３、現在位置検出部１４、外部入力部１５、記憶部１６、操作部１７、前方表示部１８、後方表示部１９、音声出力部２０等を備えて構成される。
【００２５】
制御部１１は、ＣＰＵ（Central Processing Unit）、ＲＡＭ（Random Access Memory）、ＲＯＭ（Read Only Memory）等を備えて構成され、ＣＰＵがＲＯＭ又は記憶部１６に記憶されている所定のプログラムをＲＡＭに展開し、ＲＡＭに展開されたプログラムとの協働により車載器１０の動作を統括的に制御する。また、制御部１１は、画像データや音声データのエンコード及びデコード等を行う。
【００２６】
シートベルト装着検出部１２は、ベルト未装着である旨の検出信号を入力し、これを制御部１１に出力する。なお、ベルト未装着である旨の検出信号は、検出部１０４により生成される。シートベルト装着検出部１２は、シートごとに、ベルト未装着である旨の検出信号を制御部１１に出力する。
なお、制御部１１は、シートごとの検出信号に基づいて、ベルト未装着のシートを特定することができる。また、制御部１１は、リアシートに着座している人がいないと判断した場合、後方表示部１９の電源をＯＦＦ（スリープ）する制御を行ってもよい。
【００２７】
車両状況検出部１３は、車軸等の回転に伴うパルス信号を入力し、入力されたパルス信号に基づいて、車両の速度や走行距離を算出する。車両状況検出部１３は、算出された車両状況の情報を制御部１１に出力する。
【００２８】
現在位置検出部１４は、ＧＰＳアンテナ、加速度センサ、方位センサ、距離センサ等の各種センサを備え、これらのセンサによる検出結果に基づいて車両の現在地情報（緯度経度の情報）を生成する。ＧＰＳアンテナは、ＧＰＳ衛星から送信されるＧＰＳ信号を検出する。また、加速度センサは移動方向の変化量を示す車の加速度（単位時間あたりの水平方向への回転速度）を検出し、方位センサは地磁気の検出を行い、車両の絶対方位を検出する。現在位置検出部１４は、生成された車両の現在地情報を制御部１１に出力する。
【００２９】
外部入力部１５は、外部装置から出力されたデータを入力する。外部装置には例えば、ＵＳＢメモリ、メモリカードスロットを介した各種メモリカード、ＣＤやＤＶＤ等のディスク媒体、ステレオピンジャックを介した携帯オーディオ装置等がある。外部入力部１５は、入力されたデータを制御部１１に出力する。
【００３０】
記憶部１６は、ＨＤＤ（Hard Disk Drive）等の不揮発メモリであり、制御部１１により実行される各種プログラムを記憶する。また、記憶部１６は、地図データ、施設データ、表示アイコンデータ、楽曲データ、動画データ等を記憶する。
【００３１】
操作部１７は、数字キー、文字キー、機能キー等の各種キーを備えて構成され、各種キーが押下された場合には操作信号を生成し、生成された操作信号を制御部１１に出力する。操作部１７は、リモコンや前方表示部１８又は後方表示部１９の表面に設けられたタッチパネルであってもよい。
【００３２】
前方表示部１８は、ＬＣＤ（Liquid Crystal Display）等を備えて構成され、制御部１１の制御信号に基づいて、操作画面、地図画面、ＤＶＤ表示画面、ＴＶ放送画面などの静止画又は動画を表示する。
後方表示部１９は、前方表示部１８と同様の構成及び動作を行うため、ここでの説明は省略する。
【００３３】
音声出力部２０は、Ｄ／Ａ変換部、増幅部、スピーカ等を備えて構成される。音声出力部２０は、制御部１１によりデコードされた音声信号に対してＤ／Ａ変換及び増幅処理等を行い、スピーカにより音声を出力する。
【００３４】
図３を参照して、車載器１０によるベルト未装着警告処理について説明する。
制御部１１は、車両状況検出部１３により、車両が走行中であるか否か判断する（ステップＳ１）。
【００３５】
車両が走行中でない場合（ステップＳ１；Ｎ）、制御部１１は、走行中になるまで待機する。
車両が走行中の場合（ステップＳ１；Ｙ）、制御部１１は、予め定められた速度に達したか否か判断する（ステップＳ２）。
なお、ステップＳ２において、予め定められた「時間」が経過したか否か、又は予め定められた「距離」に達したか否かの判断が行われるとしてもよい。
【００３６】
予め定められた速度に達していない場合（ステップＳ２；Ｎ）、制御部１１は、該当速度に達するまで待機する。
予め定められた速度に達した場合（ステップＳ２；Ｙ）、制御部１１は、シートベルト装着検出部１２により、シートごとに、着座シートにおけるシートベルトは装着されているか否か判断する（ステップＳ３）。
【００３７】
着座シートにおけるシートベルトが装着されている場合（ステップＳ３；Ｙ）、制御部１１は、ベルト未装着警告処理を終了する。
着座シートにおけるシートベルトが装着されていない場合（ステップＳ３；Ｎ）、制御部１１は、ベルト未装着のシートは前方座席又は後方座席の何れであるか判断する（ステップＳ４）。
【００３８】
ベルト未装着のシートが前方座席の場合（ステップＳ４；前方座席）、制御部１１は、前方表示部１８により画面表示中であるか否か判断する（ステップＳ５）。
【００３９】
前方表示部１８により画面表示中でない場合（ステップＳ５；Ｎ）、制御部１１は、前方表示部１８において、ベルト未装着である旨の画面を表示する（ステップＳ６）。
前方表示部１８により画面表示中の場合（ステップＳ５；Ｙ）、制御部１１は、前方表示部１８の画面表示を妨げるように、ベルト未装着である旨を表示する（ステップＳ７）。なお、どのようにして「妨げる」ようにするかについては、後述する（図５参照）。
【００４０】
ベルト未装着のシートが後方座席の場合（ステップＳ４；後方座席）、制御部１１は、後方表示部１９により画面表示中であるか否か判断する（ステップＳ８）。
【００４１】
後方表示部１９により画面表示中の場合（ステップＳ８；Ｙ）、制御部１１は、後方表示部１９の画面表示を妨げるように、ベルト未装着である旨を表示する（ステップＳ９）。
後方表示部１９により画面表示中でない場合（ステップＳ８；Ｎ）、制御部１１は、後方表示部１９において、ベルト未装着である旨の画面を表示する（ステップＳ１０）。
【００４２】
以上のようにして、車載器１０は、車両の走行中にベルト未装着の人に対し、ベルト未装着である旨を警告する。
【００４３】
なお、ステップＳ９、Ｓ１０において、本実施形態では後方表示部１９の表示画面にベルト未装着である旨を表示するとしたが、前方表示部１８又は後方表示部１９の表示画面のうち何れか一方に表示する、または、前方表示部１８及び後方表示部１９の両方の表示画面に表示する、としてもよい。
【００４４】
また、ステップＳ６、Ｓ７、Ｓ９、Ｓ１０において、ベルト未装着である旨を表示画面に表示するとしたが、表示画面に表示するとともに音声出力部２０によりベルト未装着である旨を音声出力する、としてもよい。音声出力の内容は、「ベルト未装着です」等の発話形式であっても、ブザー等の警告音であってもよい。また、音量は大中小の何れかが設定可能であるとしてもよい。
【００４５】
ベルト未装着である旨を表示のみ又は音声のみにより警告するか、或いは表示及び音声の両方により警告するかは、ユーザごとに設定することができる。
【００４６】
図４及び図５に、表示画面例を示す。
表示画面Ｇ１は、一般的な経路案内画面である。表示画面Ｇ１には、現在地及び現在地周辺の地図が表示され、ユーザにより設定された目的地とＧＰＳによる現在地とを結ぶ最適ルートが表示される。また、地図上に重畳して車両のアイコンが表示される。
【００４７】
表示画面Ｇ２は、ユーザにとって所望の画面（例えば、表示画面Ｇ１）に重畳してベルト未装着である旨の警告が表示された表示画面である。ベルト未装着である旨の警告は、所望の画面の視認を妨げるように表示される。例えば、表示画面Ｇ２のように、ベルト未装着である旨は、所望の画面のうち一定の割合を占めて表示される。
【００４８】
なお、ベルト未装着である旨の警告は、所望の画面の視認を妨げるように表示されればよいため、所望の画面の全領域に表示されるとしてもよいし、所望の画面に半透明のマスクをかけ、これに重畳して表示されるとしてもよい。また、未装着である旨の文字を点滅／点灯させたり、画面内移動／ランダム移動等させたりしてもよい。また、未装着である旨の文字色を赤色や青色等に設定可能としてもよい。
【００４９】
「所望の画面」には、表示画面Ｇ１のような経路案内画面の他、ＤＶＤ再生表示画面やＴＶ放送表示画面がある。例えば、リアシートに設置される後方表示部１９では、ＤＶＤ再生表示画面やＴＶ放送表示画面の方が多く表示される。リアシートに乗った子供に対してベルト装着を促したい場合、子供にとって興味のあるＤＶＤ再生表示画面に重畳してベルト未装着である旨の警告を表示する。子供はＤＶＤを鑑賞したいため、自然とベルトを装着することになる。
【００５０】
表示画面Ｇ２が表示されている間は、車載器１０に対する操作は制限されないが、操作の一部又は全部が制限されるとしてもよい。
【００５１】
以上のように、本実施形態によれば、表示画面に表示されている静止画又は動画の視認を妨げるように、静止画又は動画に重畳してベルト未装着である旨の警告を表示することができる。
【００５２】
また、シートごとに、シートベルト未装着を検出し、ベルト未装着が検出されたシートを対象にして表示されている静止画又は動画の視認を妨げるように、静止画又は動画に重畳してベルト未装着である旨の警告を表示することができる。
【００５３】
また、車内前方に設置された前方表示部１８により経路案内の静止画又は動画が表示されている場合、経路案内の静止画又は動画の視認を妨げるように、静止画又は動画に重畳してベルト未装着である旨の警告を表示することができる。
【００５４】
また、車内後方に設置された後方表示部１９によりＤＶＤ再生やＴＶ放送等の静止画又は動画が表示されている場合、静止画又は動画の視認を妨げるように、静止画又は動画に重畳してベルト未装着である旨の警告を表示することができる。
【００５５】
また、表示画面に表示されている静止画又は動画の表示領域のうち予め定められた領域、又は全領域に重畳してベルト未装着である旨の警告を表示することで、静止画又は動画の視認を妨げることができる。
【００５６】
また、表示画面に表示されている静止画又は動画に対して半透明のマスクをかけ、更に重畳してベルト未装着である旨の警告を表示することで、静止画又は動画の視認を妨げることができる。
【００５７】
また、音声出力部２０によりベルト未装着である旨の警告を音声出力することができる。
【符号の説明】
【００５８】
１０    車載器
１１    制御部
１２    シートベルト装着検出部
１３    車両状況検出部
１４    現在地検出部
１５    外部入力部
１６    記憶部
１７    操作部
１８    前方表示部
１９    後方表示部
２０    音声出力部
１００  警告システム
【図１】
2011126471.tif 000003
【図２】
2011126471.tif 000004
【図３】
2011126471.tif 000005
【図４】
2011126471.tif 000006
【図５】
2011126471.tif 000007
【図６】
2011126471.tif 000008